(57)【特許請求の範囲】
【請求項１】
鍵盤楽器本体の天面に設けた天板の上面に譜面板を起立させる起立手段と、起立した前記譜面板と協働して譜面を保持可能な譜面受けとを備えた鍵盤楽器の譜面台装置において、
前記譜面受けを、前記天板の鍵並び方向における略全長に亘って前記天板の最前部に連設し、前記譜面受けの前記天板より前方部分に、前記天板の厚みより厚い部分を設け、該厚い部分を中実としたことを特徴とする鍵盤楽器の譜面台装置。
【請求項２】
前記譜面受けは、前記天板の最前部の下に固定されたことを特徴とする請求項１記載の鍵盤楽器の譜面台装置。
【発明の詳細な説明】
【０００１】
【発明の属する技術の分野】
本発明は、譜面受けと譜面板とで譜面を保持するようにした鍵盤楽器の譜面台装置に関する。
【０００２】
【従来の技術】
従来、譜面受けと譜面板とで譜面を保持可能に構成された鍵盤楽器の譜面台装置が広く知られている。一般に鍵盤楽器では、その天板を含む譜面台装置近傍は目につきやすく、デザイン上重要な部分である。一方、長い曲のように、多くの譜面を譜面台装置に置く必要がある場合を考慮し、譜面受けを楽器本体のほぼ全横幅に亘る長さ近づけた構成の譜面台装置も知られている。
【０００３】
【発明が解決しようとする課題】
しかしながら、上記従来の譜面台装置では、譜面受けと譜面板は、いずれも楽器本体の天面に設けた天板の上面に設けたものが電子鍵盤楽器等では多くみられ、天板の前端部（操作者側の端部）は、演奏者からよく見え、外観上の良し悪しに強い影響を与える。そのため、天板に厚みを持たせる等によって高級感を出すようにすることが多い。また、天板を厚く構成することは剛性を確保する上でも有用であるため、一般的な傾向となっている。
【０００４】
このように譜面台装置の機能上、その各構成要素の配置や全体構成は各社とも著しい相違はなく、デザイン上の観点からみるとどの製品も似通ったものとなっており、過大なコストをかけることなく特徴を出すのは困難であった。このことは、上記のように譜面受けを楽器本体のほぼ全横幅に亘る長さに構成した場合でも天板の上面に設ける以上、同様であった。
【０００５】
今後、譜面受け等、譜面台装置を設計する上では、機能だけでなく、デザイン上の要請にも十分配慮することが望まれる。
【０００６】
本発明は上記従来技術の問題を解決するためになされたものであり、その目的は、多くの譜面を並べることに対応容易であると共に、譜面受けが天板の補強機能を果たすことで剛性を確保し、且つ安価な製作費にて高級感を出すことができる鍵盤楽器の譜面台装置を提供することにある。
【０００９】
【課題を解決するための手段】
上記目的を達成するために本発明の請求項１の鍵盤楽器の譜面台装置は、鍵盤楽器本体の天面に設けた天板の上面に譜面板を起立させる起立手段と、起立した前記譜面板と協働して譜面を保持可能な譜面受けとを備えた鍵盤楽器の譜面台装置において、前記譜面受けを、前記天板の鍵並び方向における略全長に亘って前記天板の最前部に連設し、前記譜面受けの前記天板より前方部分に、前記天板の厚みより厚い部分を設け、該厚い部分を中実としたことを特徴とする。
【００１０】
この構成により、起立手段により、本体の天面に設けた天板の上面に譜面板を起立させ、起立させた譜面板と譜面受けとが協働して譜面を保持する。譜面受けは、鍵盤楽器本体の天面に設けた天板の鍵並び方向における略全長に亘って連設されるので、例えば、補助譜面板等を譜面板に立て掛ける等により、多くの譜面を保持する場合にも容易に対応することができる。あるいは、譜面長さに応じた長尺の譜面板を用意し、これを起立手段によって起立可能に構成すれば、より適切に多くの譜面を保持することができる。また、譜面受けは天板の最前部に連設され、さらに譜面受けの天板より前方部分に、天板の厚みより厚い部分を設けたので、例えば、天板の前端部の少なくとも一部が譜面受けの上記厚い部分に隠れるように構成すれば、天板が演奏者から視認されにくく、天板の真の厚みが認識されにくくなる。しかも天板が譜面受けの天板より前方部分と同様の厚みを有するかのような錯覚を起こさせる。従って、天板の厚み自体を実際に厚くすることなく譜面受けそのものの厚みや形態で意匠的効果を得る等、デザイン上の設計の自由度が生じるから、高価な感じがする割には過大なコストがかからないような設計をすることができる。加えて、譜面受けは、天板より前方部分の厚みが天板より厚く、且つ、上記厚い部分が中実であり、しかも天板の最前部に連設されているので、補強材として機能し、天板を薄く構成しても全体としての剛性を確保することができる。よって、多くの譜面を並べることに対応容易であると共に、譜面受けが天板の補強機能を果たすことで剛性を確保し、且つ安価な製作費にて高級感を出すことができる。
【００１１】
【発明の実施の形態】
以下、本発明の実施の形態を図面を参照して説明する。
【００１２】
（第１の実施の形態）
図１は、本発明の第１の実施の形態に係る譜面台装置を備えた鍵盤楽器の外観斜視図である。
【００１３】
本譜面台装置は、鍵盤楽器本体１に設けられた天板２の一部、譜面板３及び譜面受け４から構成される。楽器本体１はさらに、鍵盤部５、操作パネル６を備え、左右両端部には側板７（７Ｌ、７Ｒ）が設けられている。なお、本実施の形態において、楽器本体１の演奏者側を前方と称する。
【００１４】
図２は、図１のＡ−Ａ線に沿う部分断面図である。
【００１５】
蓋体９は、左右両側板７Ｌ、７Ｒの各内側面に設けた山板１０にガイドされて前後方向にスライド可能に構成されている。同図では、蓋体９が開蓋状態となっている。鍵盤部５は白鍵１１及び黒鍵１２から成る。操作パネル６には、音量、音色の調整や特殊効果用等の各種操作子が設けられる（図示せず）。天板２は、左右両側板７Ｌ、７Ｒ間に亘る長さに構成され、両側板７Ｌ、７Ｒ間に挟まれるようにして楽器本体１の天面に設けられている。
【００１６】
譜面板３は、天板２の上面２ａに設けられる。譜面板３の下端部にはピン１４が取り付けられ、該ピン１４に対応して天板２には孔２ｃが穿設されている。ピン１４及び孔２ｃはそれぞれ２箇所に設けられる（起立手段）。譜面板３は、ピン１４を天板２の孔２ｃに差し込むことにより取り付けされると共に、不要時は取り外すことができるように構成されている。譜面板３を天板２に取り付けた状態では、同図に示すように、譜面板３は、天板２の最前部２ｄにおいて、その保持面３ａが天板２の前端面２ｂと略面一になるように斜めに起立する。
【００１７】
譜面受け４は、天板２の最前部２ｄに連設される。譜面受け４は、天板２とほぼ同じ横幅、すなわち天板２の鍵並び方向における略全長に亘る長さに形成されている。譜面受け４は、その前半部４ａが断面略楔型を呈しており、傾斜した受け面４ｃによって前方にいくにつれて厚みが厚くなって、前端部４ｄにおける厚みは天板２の厚みよりも厚く形成されている。譜面受け４の後半部４ｂは平板状に形成されている。また、譜面受け４は木のムク材で構成されると共に、前端部４ｄが曲面仕上げとされ、見栄えが良くなっている。
【００１８】
譜面受け４は、その後半部４ｂが天板２の最前部２ｄの下面に複数のネジ１３により取り付けられることにより、天板２に固定されている。譜面受け４が天板２に固定された状態で、譜面受け４の前端部４ｄにおける頂部４ｅは、その位置が天板２の上面２ａと略面一になっており、譜面板３を外して楽器本体１の上に一時的に物を置く際に物が安定する。また、譜面受け４は操作パネル６に近接配置されているので、操作がしやすく、使い勝手が良くなっている。
【００１９】
かかる構成において、譜面板３を天板２に取り付けると譜面８を載置することができる。すなわち、起立した譜面板３の保持面３ａで譜面８の背面を保持すると共に、譜面受け４の受け面４ｃで譜面８の下端を保持する。なお、譜面受け４の受け面４ｃの位置が天板２の上面２ａの位置より下方にあるので、その先端である頂部４ｅの位置において天板２の厚みの分だけ高い保持領域が確保される。
【００２０】
図３は、交換用の譜面板（同図（ａ））及び補助譜面板（同図（ｂ））を示す外観斜視図である。
【００２１】
同図（ａ）に示す交換用の譜面板３’は、上記譜面板３より長尺に形成される点が譜面板３と異なるが、その他の構成は同様である。交換用の譜面板３’の下端部には、譜面板３の場合と同じピッチで同サイズのピン１４が取り付けられている。
【００２２】
長い曲のように多くの譜面を並べたい場合、上記譜面板３では長さが足りない。その場合は、譜面板３に代えて交換用の譜面板３’を天板２に起立させる。また、上述したように、譜面受け４は天板２と同程度の長さを有する。従って、交換用の譜面板３’と譜面受け４とで、長い譜面を十分に並べることができる。
【００２３】
同図（ｂ）に示す補助譜面板１５は、厚紙等で譜面板３より長尺に形成され、折り畳み可能に構成される。多くの譜面を並べたい場合、上記のように交換用の譜面板３’に交換してもよいが、この補助譜面板１５を使用するようにしてもよい。すなわち、譜面板３の前面（保持面３ａ）に補助譜面板１５を開いた状態で置き、その前方に譜面８を置けばよい（図示せず）。このようにしても、目的を十分達成することができる。
【００２４】
本実施の形態によれば、譜面受け４を天板２の鍵並び方向における略全長に亘って設けたので、補助譜面板１５を併用することで多くの譜面を保持することができ、また、長尺の交換用の譜面板３’に交換可能に構成したので、多くの譜面をより適切に保持したい場合にも容易に対応することができる。
【００２５】
しかも、譜面受け４は天板２の最前部２ｄに連設されているので、天板２の前端面２ｂが演奏者からは視認されにくく、天板２の真の厚みが認識されにくくなるだけでなく、天板２が譜面受け４の前端部４ｄと同様の厚みを有するかのような錯覚を起こさせる。そして、譜面受け４の前端部４ｄにおける厚みは天板２の厚みよりも厚く形成されていることから、天板２が実際には薄く形成しているにもかかわらず、極めて厚い部材であるかのように認識される。さらに、通常ならば視覚上目立つ天板２の前端面２ｂが目立たず、代わりに譜面受け４の前端部４ｄが目立つようになるので、譜面受け４の前端部４ｄを見栄え良く加工処理することで優れた意匠的効果を容易に得ることができる。加えて、譜面受け４の前端部４ｄの厚みは天板２の厚みよりも厚く、しかも天板２の最前部２ｄに連設されていることから、天板２を含めた縦断面の鍵長手方向に沿う軸に関する断面２次モーメントは大きいものとなり、天板２を薄く構成したことによる剛性の低下を十分に補うことができる。また、天板２を薄くできることで、材料費の削減や軽量化にもつながる。
【００２６】
このように、天板２の厚み自体を実際に厚くすることなく譜面受け４そのものの厚みや形態でイメージを大きく変えることができるので、デザイン上の設計の自由度が生じ、高価な感じがする割には過大なコストがかからない。そればかりか、天板２回りの剛性を効果的に向上させることもできる。よって、多くの譜面を並べることに対応容易であると共に、剛性を確保しつつ安価な製作費にて高級感を出すことができる。
【００２７】
また、複数種類の交換用の譜面板３’を、ピン１４のピッチ、サイズを共通にして用意すれば、状況に応じて最適サイズのものを使用することができる。
【００２８】
なお、専ら補助譜面板１５を用いるようにする場合は、必ずしも、譜面板３を取り替え可能に構成する必要はなく、譜面板３を天板２上に起立させる手段として蝶番と支持部材との組み合わせや、固定的な起立手段等、他の手段を採用してもよい。
【００２９】
なお、補助譜面板１５としては、２つ折りの厚物でもよい。あるいは、折り畳み式に限るものでなく、１枚の長尺物であってもよい。
【００３０】
（第２の実施の形態）
本実施の形態に係る譜面台装置は、第１の実施の形態とは譜面受けの構成が異なり、その他の構成は第１の実施の形態と同様である。
【００３１】
図４は、本実施の形態における鍵盤楽器本体の図２に対応する部分断面図である。同図に示すように、譜面受け４’には、全長に亘る突条部４ｆが形成される。譜面受け４’は、天板２の最前部２ｄの上面２ａに連設されている。すなわち、譜面受け４’が天板２に取り付けられた状態で、突条部４ｆが天板２の上面２ａと面一になるように形成されている。その他の部分の構成は第１の実施の形態における譜面受け４と同様である。
【００３２】
譜面板３は譜面受け４’にピン等で取り付けられ、取り付け状態では、その保持面３ａが突条部４ｆの前面４ｇと略面一になるように斜めに起立する。なお、譜面板３の下部を厚く形成して、譜面板３が天板２に取り付けられるように構成してもよい。
【００３３】
譜面受け４’が天板２に取り付けられると、同図に示すように、天板２の前端面２ｂが全て突条部４ｆによって覆われる。従って、天板２の真の厚みは第１の実施の形態の場合よりも一層認識されにくくなるだけでなく、天板２が譜面受け４’と一体物であるかのような錯覚さえ生じる。特に、突条部４ｆが天板２の上面２ａと面一であることから、一体物であるという錯覚を生じさせやすく、さらには、譜面板３を取り付けた状態では突条部４ｆと天板２の前端部２ｂとの当接面が隠れることから、その傾向は一層強くなる。従って、天板２を薄く形成しても、譜面受け４’自体を見栄え良く形成することで全体としての高級感を容易に出すことができる。
【００３４】
さらに、突条部４ｆの存在により断面２次モーメントが一層大きくなり、補強効果を一層高めることができる。
【００３５】
本実施の形態によれば、第１の実施の形態に比し、多くの譜面を並べることに関して同様の効果を奏するだけでなく、剛性を確保しつつ安価な製作費で高級感を出すことが一層容易になる。
【００３６】
さらに本実施の形態によれば、譜面受けが天板の最前部に連接されており、なおかつ譜面板を起立手段にて天板に着脱自在に構成したので、譜面板を使用しない場合に譜面受けが天板と同化し、天板の一部を構成するかのごとく見え、あるいは天板自身に装飾を施したかのごとく見えるので、これらによっても高級感を出すことができる。上記同化作用によって、譜面台なしの暗譜演奏に際し、違和感なく演奏に集中することができるという効果もある。
【００３８】
【発明の効果】
以上説明したように、本発明によれば、多くの譜面を並べることに対応容易であると共に、譜面受けが天板の補強機能を果たすことで剛性を確保し、且つ安価な製作費にて高級感を出すことができる。
【図面の簡単な説明】
【図１】  本発明の第１の実施の形態に係る譜面台装置を備えた鍵盤楽器の外観斜視図である。
【図２】  同形態における図１のＡ−Ａ線に沿う部分断面図である。
【図３】  同形態における交換用の譜面板（同図（ａ））及び補助譜面板（同図（ｂ））を示す外観斜視図である。
【図４】  本発明の第２の実施の形態における鍵盤楽器本体の図２に対応する部分断面図である。
【符号の説明】
１  鍵盤楽器本体、  ２  天板、  ２ａ  上面、  ２ｂ  前端面、  ２ｃ  孔（起立手段の一部）、  ２ｄ  最前部、  ３  譜面板、  ３ａ  保持面、  ４  譜面受け、  ４ａ  前半部、  ４ｂ  後半部、  ４ｃ  受け面、  ４ｄ  前端部、  ４ｅ  頂部、  ５  鍵盤部、  ６  操作パネル、  ８  譜面、  １４  ピン（起立手段の一部）
【図１】
0003664018.tif 000002
【図２】
0003664018.tif 000003
【図３】
0003664018.tif 000004
【図４】
0003664018.tif 000005